(57)【要約】【課題】ディスク装置の光ピックアップに関して、基台の軸受がガイド軸によって高精度でがたつかずに案内される必要があるという要求を満たした上で、その軸受を金型スライドピンを用いずに、あるいは、短い金型スライドピンを用いて基台と一体に合成樹脂で成形する。軸受とガイド軸との接触面積を減少させてモータに加わる負荷を軽減する。【解決手段】光ピックアップ１０の基台２０が、ガイド軸５０に摺動可能に支持させた軸受３０と、ガイドレール６０によって案内される係合部４０とを備える。軸受３０を前後一対の軸受要素３１，３２で構成する。少なくとも一方の軸受要素３１に、軸線方向に直交する方向への成形型の抜出しが可能な形状を持つ凹入部３７と押え片部３８とを位置ずれさせて具備させる。【選択図】        図６
2005004832.tif 000002
【特許請求の範囲】
【請求項１】
回転駆動されるディスクを走査する光学系を搭載した合成樹脂成形体でなる基台が、円形断面のガイド軸に摺動可能に支持された軸受と、ガイド軸に平行に配備されたガイドレールによって案内される係合部とを備え、上記ガイド軸が、上記軸受に具備された円筒形の摺動面を有する丸孔に嵌挿されている光ピックアップを有するディスク装置において、
上記軸受が、上記基台の片側端部に設けられて上記ガイド軸に摺動可能に支持された前後一対の軸受要素でなり、上記ガイドレールが円形断面の丸棒でなり、上記係合部が、上記基台の他側端部に設けられて上記丸棒を上下方向で摺動自在に挟む一対の突出片を備えており、
上記軸受に上記丸孔を具備させることに代え、少なくとも一方の上記軸受要素に、軸線方向に直交する方向への成形型の抜出しが可能な形状を持つ凹入部と、この凹入部に嵌挿された上記ガイド軸を押さえてそのガイド軸の当該凹入部の開放箇所からの抜出しを防ぐ押え片部とを上記軸線方向に位置ずれさせて具備させてあり、
上記凹入部が、上記押え片部の平坦な表面と共働して上記ガイド軸を上下方向で摺動自在に挟む底面と、その底面の両端からそれぞれ立ち上げられて上記ガイド軸を左右方向で摺動自在に挟む一対の対向面とを有し、上記押え片部の平坦な表面と上記凹入部の底面と一対の対向面とによって上記ガイド軸に対する摺動面が形成されていると共に、上記凹入部の底面及び一対の対向面のそれぞれが、上記ガイド軸の軸線方向に沿って延びる湾曲面として形成されていることを特徴とする光ピックアップを有するディスク装置。
【請求項２】
回転駆動されるディスクを走査する光学系を搭載した合成樹脂成形体でなる基台が、円形断面のガイド軸に摺動可能に支持された軸受と、ガイド軸に平行に配備されたガイドレールによって案内される係合部とを備え、上記ガイド軸が、上記軸受に具備された円筒形の摺動面を有する丸孔に嵌挿されている光ピックアップを有するディスク装置において、
上記軸受に上記丸孔を具備させることに代え、上記軸受に、軸線方向に直交する方向への成形型の抜出しが可能な形状を持つ凹入部と、この凹入部に嵌挿された上記ガイド軸を押さえてそのガイド軸の当該凹入部の開放箇所からの抜出しを防ぐ押え片部とを上記軸線方向に位置ずれさせて具備させ、それらの凹入部の内面と押え片部の表面とによって上記ガイド軸に対する摺動面が形成されていることを特徴とする光ピックアップを有するディスク装置。
【請求項３】
上記凹入部が、上記押え片部の表面と共働して上記ガイド軸を第１の径方向で摺動自在に挟む底面と、その底面の両端からそれぞれ立ち上げられて上記ガイド軸を上記第１の径方向に直交する第２の径方向で摺動自在に挟む一対の対向面とを有する請求項２に記載した光ピックアップを有するディスク装置。
【請求項４】
上記軸受が、上記ガイド軸に摺動可能に支持された前後一対の軸受要素でなり、そのうちの少なくとも一方の軸受要素が上記凹入部と上記押え片部とを有する請求項２又は請求項３に記載した光ピックアップを有するディスク装置。
【請求項５】
上記ガイドレールが円形断面の丸棒でなり、上記係合部がその丸棒を径方向で摺動自在に挟む一対の突出片を備えている請求項２ないし請求項４のいずれか１項に記載した光ピックアップを有するディスク装置。
【発明の詳細な説明】
【０００１】
【発明の属する技術分野】
本発明は、光ピックアップを有するディスク装置、特に、ディスク半径方向での走行移動が円形断面のガイド軸によって高精度で案内されることが要求される光ピックアップを有する装置に関する。
【０００２】
【従来の技術】
図８はこの種のディスク装置の光ピックアップ取付箇所の全体構成を示した概略平面図である。同図において、１はシャーシで、このシャーシ１の所定箇所に、図示していない駆動モータの回転軸に固着されたターンテーブル２が配備されている。また、シャーシ１には開口３が備わっていて、この開口３の口内領域で光ピックアップ１０がターンテーブル２に対する遠近方向、すなわちターンテーブル２によって回転駆動されるディスクＤの半径方向（矢印Ｒ方向）に走行駆動されるようになっている。光ピックアップ１０を走行させるための走行駆動源となるモータは図示していない。
【０００３】
光ピックアップ１０は、合成樹脂成形体でなる基台２０に、対物レンズ１２や図示していない光軸調節機構などを備えてディスクを走査する光学系を搭載することによって構成されている。また、基台２０は、左右方向片側端部に設けられた前後一対の軸受要素３１，３２でなる軸受３０と、左右方向他側端部に設けられた係合部４０とを備えていて、軸受３０がガイド軸５０によって摺動可能に支持され、かつ、係合部４０がガイド軸５０に平行に配備されたガイドレール６０によって案内されるようになっている。
【０００４】
このような光ピックアップ１０において、軸受３０はガイド軸５０によって高精度でがたつかずに案内されることが要求される反面で、ガイドレール６０と係合部４０との係合箇所には、係合部４０がガドレール６０によってがたつかずに案内されるというほどの高精度が要求されないことが判っている。そのため、図９に概略斜視図で示したように、係合部４０は、たとえば円形断面の丸棒でなるガイドレール６０を上下方向で摺動自在に挟む一対の突出片４１，４２を備えた構成になっていて、それらの突出片４１，４２の相互間には、ガイドレール６０に対して係合部４０が左右方向に変位し得る遊び空間Ｓが確保されていることが多い。
【０００５】
以上の状況下で、従来のディスク装置の光ピックアップを図１０〜図１２を参照して説明する。図１０は光ピックアップの要部を裏面側から見て示した概略底面図、図１１は図１０のＸＩ−ＸＩ線に沿う部分の概略断面図、図１２は図１０のＸＩＩ線に沿う拡大矢視図である。
【０００６】
この光ピックアップにおいて、合成樹脂成形体でなる基台２０の左右方向片側端部に設けられた軸受３０の前後一対の軸受要素３１，３２は丸孔３３，３４を備えていて、円形断面のガイド軸５０（図８参照）に当該丸孔３３，３４の内周面でなる円筒形の摺動面３５，３６ががたつきのない高い精度で摺動可能に接触している。図１０及び図１２において、２１は図示していないモータの出力が伝達されるラックである。なお、図１０〜図１２に示した光ピックアップにおいて、基台２０の左右方向他側端部に設けられる係合部は、図８で説明した係合部４０と同様の構成を有し、同様の構成で図８で説明したガイドレール６０に摺動自在に係合している。その他の構成も図８で説明したところと同様である。
【０００７】
このような光ピックアップ１０を有する従来のディスク装置では、軸受３０を一体に備えた基台２０を合成樹脂で成形する場合、軸受３０を形成している前後の軸受要素３１，３２が丸孔３３，３４を備えているために、図１０に一点鎖線で示した成形用の金型スライドピン７０を用いていた。この金型スライドピン７０は、図示していない金型主部から長く延び出ていて、前後の軸受要素３１，３２のそれぞれの丸孔３３，３４の成形に１本の金型スライドピン７０が共用されるために、上記金型主部から延び出た金型スライドピン７０には、前後の軸受要素３１，３２の両方の丸孔３３，３４を成形し得る程度の長さの長いものを必要とし、さらに、成形後の離型に際して金型スライドピン７０を図１０の矢印Ａ方向に抜き取るときの離型ストロークも長くなっていた。
【０００８】
その反面で、光ピックアップ１０を有する従来の装置において、図８又は図９で説明した係合部４０と同様の構成を備えた係合部は、上下一対の突出片４１，４２を有するという構成であって、それらの突出片４１，４２の相互間の空間は光ピックアップの側方に向けて開放しているので、上記したような金型スライドピン７０を用いずに、基台２０の側方へ離型される汎用的な割り型を用いて成形することが可能である。
これに対し、先行例には、前後２つの軸受要素でなる軸受が主ガイド軸（上記ガイド軸に相当）に摺動自在に支持され、かつ、ガイド軸に平行に配備された丸棒状の副ガイド軸（上記ガイドレールに相当）によって案内される係合部を備えた光ピックアップを有するディスクドライブ装置が記載されている（例えば、特許文献１参照）。このディスクドライブ装置は、前後の軸受要素の丸孔に主ガイド軸が嵌挿され、係合部が副ガイド軸を上下方向で挟む突出片を備えている点で、上記した従来例と同様の構成になっている。
【０００９】
他の先行例には、第１のガイドロッド（上記ガイド軸に相当）に第１軸受部（上記軸受に相当）を摺動自在に支持させ、第２のガイドロッド（上記ガイドレールに相当）に第２の軸受部（上記係合部に相当）を案内させるようにした光ピックアップ用軸受機構についての記載がある（例えば、特許文献２参照）。このものでは、それほどの高精度が要求されていない第２の軸受部の構成として、第２のガイドロッドを光ピックアップベース側の第１摺動部と光ピックアップベースに取り付けたホルダー側の第２摺動部とによって上下方向で摺動自在にばね圧を利用して挟むようにしたものが記載されている。
【００１０】
さらに他の先行例には、磁気ヘッドを搭載した基台の片側端部に前後２つのＵ字形の保持体を具備させ、これらの保持体に、ガイド棒が摺動自在に嵌挿された筒軸受を保持させたガイド機構についての記載がある（例えば、特許文献３参照）。
【００１１】
【特許文献１】
特開２００１−２２２８２３号公報
【特許文献２】
特開２００３−７７２３４号公報
【特許文献３】
特開昭６１−１７５７１２号公報
【００１２】
【発明が解決しようとする課題】
図１０〜図１２で説明した従来のディスク装置の光ピックアップのように、軸受３０がガイド軸５０によって高精度でがたつかずに案内される必要があるという要求を満たすために、軸受け３０の前後の軸受要素３１，３２に丸孔３３，３４を具備させ、それらの丸孔３３，３４にガイド軸５０を嵌挿するという構成を採用すると、丸孔３３，３４の成形型として図１０で説明したように長い金型スライドピン７０を用いることを余儀なくされる。
【００１３】
しかしながら、そのような長寸の金型スライドピン７０を用いると、金型スライドピン７０の長さに見合って基台２０を成形するための成形機全体の大きさが大きくなり、必要な金型部品も多くなるので、係合部４０（図９参照）の成形を汎用的な割り形を用いて成形することができるにもかかわらず、金型費用が嵩んで基台２０の成形費用が高くつくことになる。また、長寸の金型スライドピン７０はその長さが長いために変形や折損などを起こしやすく、さらに、金型スライドピン７０の取替えに要する費用も高くつくという問題があった。
【００１４】
また、前後の軸受要素３１，３２の丸孔３３，３４の内周面によって形成されている摺動面３５，３６は、金型スライドピン７０によって成形されるためにその軸線方向にストレートの面となり、その結果、ガイド軸との接触面積が大きくなって光ピックアップを駆動するためのモータの負荷を増大させるおそれがあるという問題があった。
【００１５】
上掲の特許文献１に記載されているディスクドライブ装置では、光ピックアップが、丸孔を有する軸受を主ガイド軸に摺動自在に支持させ、副ガイド軸に上下の突出片を備えた係合部を摺動自在に係合させた構成を採用しているので、上記した従来例と同様の問題がある。また、特許文献２に記載されている技術は、高精度がそれほど要求されていない第２の軸受部の構成を提供しているに過ぎないので、上記した問題点の解決策にはなり得ない。さらに、特許文献３に記載されているものは、Ｕ字形の保持体に、ガイド棒が摺動自在に嵌挿された筒軸受を保持させるというものであるので、このものも上記した問題点の解決策にはなり得ない。
【００１６】
本発明は以上の問題や状況に鑑みてなされたものであり、軸受がガイド軸によって高精度でがたつかずに案内される必要があるという要求を満たすものでありながら、その軸受を金型スライドピンを用いずに、あるいは、金型スライドピンを用いるとしても短い金型スライドピンと汎用的な割り型とを用いることによってその軸受を基台と一体に合成樹脂で成形することができ、併せて、軸受とガイド軸との接触面積を減少させることができてモータに加わる負荷を軽減させることのできる光ピックアップを有するディスク装置を提供することを目的としている。
【００１７】
【課題を解決するための手段】
本発明に係る光ピックアップを有するディスク装置は、回転駆動されるディスクを走査する光学系を搭載した合成樹脂成形体でなる基台が、円形断面のガイド軸に摺動可能に支持された軸受と、ガイド軸に平行に配備されたガイドレールによって案内される係合部とを備え、上記ガイド軸が、上記軸受に具備された円筒形の摺動面を有する丸孔に嵌挿されている光ピックアップを有するディスク装置において、上記軸受に上記丸孔を具備させることに代え、上記軸受に、軸線方向に直交する方向への成形型の抜出しが可能な形状を持つ凹入部と、この凹入部に嵌挿された上記ガイド軸を押さえてそのガイド軸の当該凹入部の開放箇所からの抜出しを防ぐ押え片部とを上記軸線方向に位置ずれさせて具備させ、それらの凹入部の内面と押え片部の表面とによって上記ガイド軸に対する摺動面が形成されている、というものである。
【００１８】
この構成であれば、軸受の凹入部を、金型スライドピンを用いずに、たとえば割り型を用いて成形することが可能になり、その凹入部に嵌挿されたガイド軸が押え片部により押さえ付けられて凹入部からの抜出しが阻止される。そして、凹入部の内面と押え片部の表面とによってガイド軸に対する摺動面が形成されているので、軸受をガイド軸によって高精度でがたつかずに案内するという要求が満たされ、併せて、金型スライドピンを用いずに軸受を基台と一体に合成樹脂で成形することが可能になる。その上、ガイド軸は、凹入部の内面と押え片部の表面とでなる摺動面に接触するだけであって、そのガイド軸の全周面が摺動面に接触しなくなるので、それだけ接触面積が減少してモータに加わる負荷が軽減されるようになる。
【００１９】
本発明では、上記凹入部が、上記押え片部の表面と共働して上記ガイド軸を第１の径方向で摺動自在に挟む底面と、その底面の両端からそれぞれ立ち上げられて上記ガイド軸を上記第１の径方向に直交する第２の径方向で摺動自在に挟む一対の対向面とを有する、という構成を採用することが可能である。この構成であれば、ガイド軸が、押え片部の表面と、凹入部の底面と、一対の対向面との４つの面に接触するだけであるので、接触面積を顕著に減少させてモータに加わる負荷を軽減させることができる。
【００２０】
本発明では、上記軸受が、上記ガイド軸に摺動可能に支持された前後一対の軸受要素でなり、そのうちの少なくとも一方の軸受要素が上記凹入部と上記押え片部とを有する、という構成を採用することが可能である。これによれば、一方の軸受要素の凹入部を、金型スライドピンを用いずに、たとえば割り型を用いて成形することが可能になるので、他方の軸受要素の摺動面を金型スライドピンを用いて成形するとしても、その金型スライドピンに長さの短いものを用いることが可能になり、それに見合って基台を成形するための成形機全体の大きさを小さくでき、必要な金型部品も少なくて済み、金型費用の低減化と基台の成形費用の低減化とが促進される。また、金型スライドピンの変形や折損も起こりにくくなり、金型スライドピンの取替えに要する費用も安くて済む。
【００２１】
本発明では、上記ガイドレールが円形断面の丸棒でなり、上記係合部がその丸棒を径方向で摺動自在に挟む一対の突出片を備えていることが望ましい。これによれば、係合部を汎用的な割り型を用いて基台と一体に合成樹脂で成形することができる。
【００２２】
本発明に係る光ピックアップを有するディスク装置は、次の構成を採用することによっていっそう具体化される。すなわち、回転駆動されるディスクを走査する光学系を搭載した合成樹脂成形体でなる基台が、円形断面のガイド軸に摺動可能に支持された軸受と、ガイド軸に平行に配備されたガイドレールによって案内される係合部とを備え、上記ガイド軸が、上記軸受に具備された円筒形の摺動面を有する丸孔に嵌挿されている光ピックアップを有するディスク装置において、上記軸受が、上記基台の片側端部に設けられて上記ガイド軸に摺動可能に支持された前後一対の軸受要素でなり、上記ガイドレールが円形断面の丸棒でなり、上記係合部が、上記基台の他側端部に設けられて上記丸棒を上下方向で摺動自在に挟む一対の突出片を備えており、上記軸受に上記丸孔を具備させることに代え、少なくとも一方の上記軸受要素に、軸線方向に直交する方向への成形型の抜出しが可能な形状を持つ凹入部と、この凹入部に嵌挿された上記ガイド軸を押さえてそのガイド軸の当該凹入部の開放箇所からの抜出しを防ぐ押え片部とを上記軸線方向に位置ずれさせて具備させてあり、上記凹入部が、上記押え片部の平坦な表面と共働して上記ガイド軸を上下方向で摺動自在に挟む底面と、その底面の両端からそれぞれ立ち上げられて上記ガイド軸を左右方向で摺動自在に挟む一対の対向面とを有し、上記押え片部の平坦な表面と上記凹入部の底面と一対の対向面とによって上記ガイド軸に対する摺動面が形成されていると共に、上記凹入部の底面及び一対の対向面のそれぞれが、上記ガイド軸の軸線方向に沿って延びる湾曲面として形成されている、という構成を採用することによっていっそう具体化される。この発明の作用は次の実施形態を参照して説明する。
【００２３】
【発明の実施の形態】
図１は本発明に係るディスク装置に採用されている光ピックアップの要部を裏面側から見て示した概略底面図、図２は図１のＩＩ−ＩＩ線に沿う部分の概略断面図、図３は図１のＩＩＩ線に沿う拡大矢視図、図４は軸受３０の拡大正面図、図５は軸受３０の拡大平面図、図６は図５のＶＩ−ＶＩ線に沿う部分の断面図、図７は軸受３０の変形例を示した図４に相応する拡大正面図である。
【００２４】
この光ピックアップにおいて、合成樹脂成形体でなる基台２０の左右方向片側端部に設けられた軸受３０の前後一対の軸受要素３１，３２のうち、後側の軸受要素３２は丸孔３４を備えていて、円形断面のガイド軸５０（図８参照）に当該丸孔３４の内周面でなる円筒形の摺動面３６ががたつきのない高い精度で摺動可能に接触している。これに対し、前側の軸受要素３１は凹入部３７とその凹入部３７に対してその凹入部３７の軸線方向（ガイド軸５０の軸線方向と一致する）に位置ずれして配備された押え片部３８とを備えている。図４〜図６のように、凹入部３７は、底面３７ａと、その底面３７ａの左右両端から直角に立ち上げられた左右一対の対向面３７ｂ，３７ｂとを有して上方に向けて開口している。その開口箇所を符号３９で示してある。また、押え片部３８はその下側表面３８ａが平坦面として形成されている。そして、凹入部３７の底面３７ａが押え片部３８の下側表面３８ａと共働して円形断面のガイド軸５０を上下方向（第１の半径方向）で摺動自在に挾み、かつ、凹入部３７の左右一対の対向面３７ｂ，３７ｂがガイド軸５０を左右方向で摺動自在に挟んでいる。したがって、押え片部３８の下側表面３８ａと凹入部３７の底面３７ａと一対の対向面３７ｂ，３７ｂとによってガイド軸５０に対する摺動面が形成されていて、その摺動面とガイド軸５０との接触箇所には、がたつきを生じるような隙間が存在していない。
【００２５】
図１及び図３において、２１は図示していないモータの出力が伝達されるラックである。なお、図１〜図６に示した光ピックアップにおいて、基台２０の左右方向他側端部に設けられる係合部は、図８で説明した係合部４０と同様の構成を有し、同様の構成で図８で説明したガイドレール６０に摺動自在に係合している。その他の構成も図８で説明したところと同様である。
【００２６】
以上の構成を備えた光ピックアップを有するディスク装置において、基台２０は、その片側端部の軸受３０を形成している前後一対の軸受要素３１，３２によって円形断面のガイド軸５０にがたつきなく高精度で支持されて円滑に走行駆動され、他側端部の係合部４０（図８参照）がガイドレール６０によって案内される。したがって、軸受３０をガイド軸５０によって高精度でがたつかずに案内するという要求が満たされている。また、図４で判るように、前側の軸受要素３１にあっては、ガイド軸５０が、押え片部３８の下側表面３８ａと、凹入部３７の底面３７ａと、一対の対向面３７ｂ，３７ｂとの４つの面に周囲４箇所で接触するだけであるので、軸受３０とガイド軸５０との接触面積が著しく減少してモータに加わる負荷が軽減されるようになる。
【００２７】
また、前側の軸受要素３１の凹入部３７及び突出片３８は、金型スライドピンを用いずに成形することが可能である。すなわち、凹入部３７は図示していない割り型を用いて成形することが可能であり、離型は、その割り型を図２矢印Ａ１のように基台２０の上面側（図２では下方が基台２０の上面側になっている）に移動させることによって可能であり、突出片３８も、図示していない割り型を用いて成形することが可能であって、その離型は、その割り型を図２矢印Ａ２のように基台２０の下面側に移動させることによって可能である。これに対し、後側の軸受要素３２の丸孔３３は、図１に一点鎖線で示した金型スライドピン７０を用いて成形される。しかしながら、後側の軸受要素３２の丸孔３３を成形するための金型スライドピン７０は、前側軸受要素３１の成形に共用されるものではないので、金型主部（不図示）から延び出た金型スライドピン７０の長さは、後側の軸受要素３２の丸孔３３を成形し得る長さで済み、そのような金型スライドピン７０は図１０で説明した金型スライドピン７０に比べて短くてよい。したがって、成形後の離型に際して金型スライドピン７０を図１の矢印Ａ方向に抜き取るときの離型ストロークも短くて済む。このことから、基台２０を成形するための成形機全体の大きさを小さくでき、必要な金型部品も少なくて済み、さらに、金型スライドピン７０の変形や折損も起こりにくくなり、金型スライドピンの取替えに要する費用も安くて済む。
【００２８】
この実施形態において、ガイドレール６０に案内される係合部４０（図８参照）は、図９で説明したように、上下一対の突出片４１，４２を有するという構成であって、それらの突出片４１，４２の相互間の空間は光ピックアップの側方に向けて開放しているので、基台２０の側方へ離型される汎用的な割り型を用いて成形することが可能である。
【００２９】
特にこの実施形態では、図４〜図６に示したように、前側の軸受要素３１で、ガイド軸５０に接触している押え片部３８の下側表面３８ａ、凹入部３７の底面３７ａ、一対の対向面３７ｂ，３７ｂの４つの面が、ガイド軸５０の周囲４箇所に接触するだけである。しかも、凹入部３７の底面３７ａ、一対の対向面３７ｂ，３７ｂの３つの面はガイド軸５０の軸線方向に沿って延びる円弧状の輪郭線を備えた湾曲面によって形成されているため、それらの３つの面がガイド軸５０の周囲３箇所に接触するのみならず、それぞれの接触箇所では線接触状態ないし点接触状態になるので、軸受３０とガイド軸５０との接触面積が顕著に減少してモータに加わる負荷が著しく軽減されるようになるという利点がある。
【００３０】
以上説明した実施形態では、軸受３０を前後一対の軸受要素３１，３２によって形成し、そのうちの前側の軸受要素３１を凹入部３７と突出片３８とにより形成して金型スライドピンを用いない成形を可能とし、後側の軸受要素３２には金型スライドピン７０を用いて成形する丸孔３３を具備させてあるけれども、この点は、後側の軸受要素３２をも、前側の軸受要素３１と同様に、凹入部と突出片とにより形成して金型スライドピンを用いない成形を可能としてもよく、そのようにすると、金型スライドピンを用いずに基台２０を成形することが可能になる。また、軸受３０を前後一対の軸受要素３１，３２に分けずに、単一の軸受要素によって形成することも可能である。
【００３１】
さらに、軸受３０を、成形型の抜出しが可能な形状を持つ凹入部と、この凹入部に嵌挿されたガイド軸を押さえてそのガイド軸の当該凹入部の開放箇所からの抜出しを防ぐ押え片部とによって形成する場合、凹入部３７の形状を、図７に示したように、略Ｖ字形に形成することも可能であり、そのようにすると、ガイド軸５０が、押え片部３８の下側表面３８ａとＶ字形の凹入部３７の２つの斜面３７ｃ，３７ｃとの３つの面に周囲３箇所で接触するだけであるので、軸受３０とガイド軸５０との接触面積がさらに減少してモータに加わる負荷がいっそう軽減されるようになる。
【００３２】
また、図示していないけれども、凹入部の形状をＵ字形にすることも可能である。
【００３３】
【発明の効果】
以上のように、本発明によれば、基台の軸受がガイド軸によって高精度でがたつかずに案内される必要があるという要求が容易に満たされ、しかも、その軸受を金型スライドピンを用いずに、あるいは、金型スライドピンを用いるとしても短い金型スライドピンを用いて基台と一体に合成樹脂で成形することが可能になり、併せて、軸受とガイド軸との接触面積を減少させてモータに加わる負荷を軽減することができるので、基台の成形に要する費用が低減化される。しかも、軸受とガイド軸との接触面積が従来よりも減少してモータの負荷が軽減するので、光ピックアップによるディスクの走査性能が向上し、所謂音飛びや画像乱れなどの走査性能低下に伴う不都合を生じにくいディスク装置を提供することが可能になる。
【図面の簡単な説明】
【図１】本発明に係るディスク装置に採用されている光ピックアップの要部を裏面側から見て示した概略底面図である。
【図２】図１のＩＩ−ＩＩ線に沿う部分の概略断面図である。
【図３】図１のＩＩＩ線に沿う拡大矢視図である。
【図４】軸受の拡大正面図である。
【図５】軸受の拡大平面図である。
【図６】図５のＶＩ−ＶＩ線に沿う部分の断面図である。
【図７】軸受の変形例を示した図４に相応する拡大正面図である。
【図８】ディスク装置の光ピックアップ取付箇所の全体構成を示した概略平面図である。
【図９】係合部の概略拡大斜視図である。
【図１０】従来のディスク装置に採用されている光ピックアップの要部を裏面側から見て示した概略底面図である。
【図１１】図１０のＸＩ−ＸＩ線に沿う部分の概略断面図である。
【図１２】図１０のＸＩＩ線に沿う拡大矢視図である。
【符号の説明】
Ｄ  ディスク
１２  対物レンズ（光学系）
２０  基台
３０  軸受
３１，３２  軸受要素
３３，３４  丸孔
３５，３６  円筒形の摺動面
３７  凹入部
３７ａ  凹入部の底面
３７ｂ，３７ｂ  凹入部の一対の対向面
３８  押え片部
３８ａ  押え片部の下側表面（押え片部の表面）
４０  係合部
４１，４２  突出片
５０  ガイド軸
６０  ガイドレール
【図１】
2005004832.tif 000003
【図２】
2005004832.tif 000004
【図３】
2005004832.tif 000005
【図４】
2005004832.tif 000006
【図５】
2005004832.tif 000007
【図６】
2005004832.tif 000008
【図７】
2005004832.tif 000009
【図８】
2005004832.tif 000010
【図９】
2005004832.tif 000011
【図１０】
2005004832.tif 000012
【図１１】
2005004832.tif 000013
【図１２】
2005004832.tif 000014